(57)【要約】【課題】工程の順次実行の担保を図れる工程実行支援システムを提供する。【解決手段】薬品２１Ａを容器３０に加える工程Ａの後、コンピュータ１は、履歴リストＬ０の工程ＩＤ（０）、工程ＩＤ（Ａ）をコンピュータ３ｂに送信する。コンピュータ３ｂは、予め記憶した工程ＩＤ（０）、工程ＩＤ（Ａ）が送信されたので、薬品棚２０Ｂを解錠する。これにより、薬品棚２０Ｂの中の薬品２１Ｂを容器３０に加える工程Ｂが行われる。【選択図】図１
2008090406.tif 000002
【特許請求の範囲】
【請求項１】
終了済である第１の工程の工程ＩＤを記憶する工程間利用のコンピュータに通信可能な工程間利用のトランシーバと、終了済みであるべき第１の工程の工程ＩＤを記憶する第２の工程のコンピュータに通信可能な第２の工程のトランシーバとが電極を有し、
各電極が媒体に接触または近接している状態で、
工程間利用のトランシーバは、工程間利用のコンピュータから送信される工程ＩＤに応じた波形の電圧を電極と媒体を介して第２の工程のトランシーバの電極に印加し、
第２の工程のトランシーバは、電極に印加された電圧の波形を工程ＩＤとして検出し、この工程ＩＤを第２の工程のコンピュータに送信し、
第２の工程のコンピュータは、記憶した第１の工程の工程ＩＤが送信された否かを判定する
ことを特徴とする工程実行支援システム。
【請求項２】
終了済である第１の工程の工程ＩＤを記憶する工程間利用のコンピュータに通信可能な工程間利用のトランシーバと、終了済みであるべき第１の工程の工程ＩＤを記憶する第２の工程のコンピュータに通信可能な第２の工程のトランシーバとが電極を有し、
各電極が媒体に接触または近接している状態で、
工程間利用のトランシーバは、工程間利用のコンピュータから送信される工程ＩＤに応じた波形の電圧を電極と媒体を介して第２の工程のトランシーバの電極に印加し、
第２の工程のトランシーバは、電極に印加された電圧の波形を工程ＩＤとして検出し、この工程ＩＤを第２の工程のコンピュータに送信し、
第２の工程のコンピュータは、記憶した第１の工程の工程ＩＤが送信された否かを判定する
ことを特徴とする工程実行支援方法。
【請求項３】
終了済である第１の工程の工程ＩＤを記憶する工程間利用のコンピュータに通信可能な工程間利用のトランシーバと、終了済みであるべき第１の工程の工程ＩＤを記憶する第２の工程のコンピュータに通信可能な第２の工程のトランシーバと、終了済みであるべき第２の工程の工程ＩＤを記憶する第３の工程のコンピュータに通信可能な第３の工程のトランシーバとが電極を有し、
工程間利用のトランシーバおよび第２の工程のトランシーバの各電極が媒体に接触または近接している状態で、
工程間利用のトランシーバは、工程間利用のコンピュータから送信される第１の工程の工程ＩＤに応じた波形の電圧を電極と媒体を介して第２の工程のトランシーバの電極に印加し、
第２の工程のトランシーバは、電極に印加された電圧の波形を第１の工程の工程ＩＤとして検出し、この第１の工程の工程ＩＤを第２の工程のコンピュータに送信し、
第２の工程のコンピュータは、記憶した第１の工程の工程ＩＤが送信された場合に、第２の工程の工程ＩＤを第２の工程のトランシーバに送信し、
第２の工程のトランシーバは、送信された第２の工程の工程ＩＤに応じた波形の電圧を電極と媒体を介して工程間利用のトランシーバの電極に印加し、
工程間利用のトランシーバは、電極に印加された電圧の波形を第２の工程の工程ＩＤとして検出し、この第２の工程の工程ＩＤを工程間利用のコンピュータに送信し、
工程間利用のトランシーバおよび第３の工程のトランシーバの各電極が媒体に接触または近接している状態で、
工程間利用のコンピュータは、送信された第２の工程の工程ＩＤを工程間利用のトランシーバに送信し、
工程間利用のトランシーバは、送信された第２の工程の工程ＩＤに応じた波形の電圧を電極と媒体を介して第３の工程のトランシーバの電極に印加し、
第３の工程のトランシーバは、電極に印加された電圧の波形を第２の工程の工程ＩＤとして検出し、この第２の工程の工程ＩＤを第３の工程のコンピュータに送信し、
第３の工程のコンピュータは、記憶した第２の工程の工程ＩＤが送信されたか否かを判定する
ことを特徴とする工程実行支援システム。
【請求項４】
終了済である第１の工程の工程ＩＤを記憶する工程間利用のコンピュータに通信可能な工程間利用のトランシーバと、終了済みであるべき第１の工程の工程ＩＤを記憶する第２の工程のコンピュータに通信可能な第２の工程のトランシーバと、終了済みであるべき第２の工程の工程ＩＤを記憶する第３の工程のコンピュータに通信可能な第３の工程のトランシーバとが電極を有し、
工程間利用のトランシーバおよび第２の工程のトランシーバの各電極が媒体に接触または近接している状態で、
工程間利用のトランシーバは、工程間利用のコンピュータから送信される第１の工程の工程ＩＤに応じた波形の電圧を電極と媒体を介して第２の工程のトランシーバの電極に印加し、
第２の工程のトランシーバは、電極に印加された電圧の波形を第１の工程の工程ＩＤとして検出し、この第１の工程の工程ＩＤを第２の工程のコンピュータに送信し、
第２の工程のコンピュータは、記憶した第１の工程の工程ＩＤが送信された場合に、第２の工程の工程ＩＤを第２の工程のトランシーバに送信し、
第２の工程のトランシーバは、送信された第２の工程の工程ＩＤに応じた波形の電圧を電極と媒体を介して工程間利用のトランシーバの電極に印加し、
工程間利用のトランシーバは、電極に印加された電圧の波形を第２の工程の工程ＩＤとして検出し、この第２の工程の工程ＩＤを工程間利用のコンピュータに送信し、
工程間利用のトランシーバおよび第３の工程のトランシーバの各電極が媒体に接触または近接している状態で、
工程間利用のコンピュータは、送信された第２の工程の工程ＩＤを工程間利用のトランシーバに送信し、
工程間利用のトランシーバは、送信された第２の工程の工程ＩＤに応じた波形の電圧を電極と媒体を介して第３の工程のトランシーバの電極に印加し、
第３の工程のトランシーバは、電極に印加された電圧の波形を第２の工程の工程ＩＤとして検出し、この第２の工程の工程ＩＤを第３の工程のコンピュータに送信し、
第３の工程のコンピュータは、記憶した第２の工程の工程ＩＤが送信されたか否かを判定する
ことを特徴とする工程実行支援方法。
【請求項５】
請求項１記載の工程実行支援システムにおいて、第２の工程のトランシーバは、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形を工程ＩＤとして検出し、この工程ＩＤを第２の工程のコンピュータに送信する
ことを特徴とする工程実行支援システム。
【請求項６】
請求項２記載の工程実行支援方法において、第２の工程のトランシーバは、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形を工程ＩＤとして検出し、この工程ＩＤを第２の工程のコンピュータに送信する
ことを特徴とする工程実行支援方法。
【請求項７】
終了済である第１の工程の工程ＩＤを記憶する工程間利用のコンピュータに通信可能な工程間利用のトランシーバと、終了済みであるべき第１の工程の工程ＩＤを記憶する第２の工程のコンピュータに通信可能な第２の工程のトランシーバと、終了済みであるべき第２の工程の工程ＩＤを記憶する第３の工程のコンピュータに通信可能な第３の工程のトランシーバとが電極を有し、
工程間利用のトランシーバおよび第２の工程のトランシーバの各電極が媒体に接触または近接している状態で、
工程間利用のトランシーバは、工程間利用のコンピュータから送信される第１の工程の工程ＩＤに応じた波形の電圧を電極と媒体を介して第２の工程のトランシーバの電極に印加し、
第２の工程のトランシーバは、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形を第１の工程の工程ＩＤとして検出し、この第１の工程の工程ＩＤを第２の工程のコンピュータに送信し、
第２の工程のコンピュータは、記憶した第１の工程の工程ＩＤが送信された場合に、第２の工程の工程ＩＤを第２の工程のトランシーバに送信し、
第２の工程のトランシーバは、送信された第２の工程の工程ＩＤに応じた波形の電圧を電極と媒体を介して工程間利用のトランシーバの電極に印加し、
工程間利用のトランシーバは、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形を第２の工程の工程ＩＤとして検出し、この第２の工程の工程ＩＤを工程間利用のコンピュータに送信し、
工程間利用のトランシーバおよび第３の工程のトランシーバの各電極が媒体に接触または近接している状態で、
工程間利用のコンピュータは、送信された第２の工程の工程ＩＤを工程間利用のトランシーバに送信し、
工程間利用のトランシーバは、送信された第２の工程の工程ＩＤに応じた波形の電圧を電極と媒体を介して第３の工程のトランシーバの電極に印加し、
第３の工程のトランシーバは、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形を第２の工程の工程ＩＤとして検出し、この第２の工程の工程ＩＤを第３の工程のコンピュータに送信し、
第３の工程のコンピュータは、記憶した第２の工程の工程ＩＤが送信されたか否かを判定する
ことを特徴とする工程実行支援システム。
【請求項８】
終了済である第１の工程の工程ＩＤを記憶する工程間利用のコンピュータに通信可能な工程間利用のトランシーバと、終了済みであるべき第１の工程の工程ＩＤを記憶する第２の工程のコンピュータに通信可能な第２の工程のトランシーバと、終了済みであるべき第２の工程の工程ＩＤを記憶する第３の工程のコンピュータに通信可能な第３の工程のトランシーバとが電極を有し、
工程間利用のトランシーバおよび第２の工程のトランシーバの各電極が媒体に接触または近接している状態で、
工程間利用のトランシーバは、工程間利用のコンピュータから送信される第１の工程の工程ＩＤに応じた波形の電圧を電極と媒体を介して第２の工程のトランシーバの電極に印加し、
第２の工程のトランシーバは、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形を第１の工程の工程ＩＤとして検出し、この第１の工程の工程ＩＤを第２の工程のコンピュータに送信し、
第２の工程のコンピュータは、記憶した第１の工程の工程ＩＤが送信された場合に、第２の工程の工程ＩＤを第２の工程のトランシーバに送信し、
第２の工程のトランシーバは、送信された第２の工程の工程ＩＤに応じた波形の電圧を電極と媒体を介して工程間利用のトランシーバの電極に印加し、
工程間利用のトランシーバは、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形を第２の工程の工程ＩＤとして検出し、この第２の工程の工程ＩＤを工程間利用のコンピュータに送信し、
工程間利用のトランシーバおよび第３の工程のトランシーバの各電極が媒体に接触または近接している状態で、
工程間利用のコンピュータは、送信された第２の工程の工程ＩＤを工程間利用のトランシーバに送信し、
工程間利用のトランシーバは、送信された第２の工程の工程ＩＤに応じた波形の電圧を電極と媒体を介して第３の工程のトランシーバの電極に印加し、
第３の工程のトランシーバは、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形を第２の工程の工程ＩＤとして検出し、この第２の工程の工程ＩＤを第３の工程のコンピュータに送信し、
第３の工程のコンピュータは、記憶した第２の工程の工程ＩＤが送信されたか否かを判定する
ことを特徴とする工程実行支援方法。
【発明の詳細な説明】
【技術分野】
【０００１】
本発明は、工程の順次実行の担保を図れる工程実行支援システムに関する。
【背景技術】
【０００２】
従来、例えば、工程Ａ、Ｂ、Ｃをこの順で行うときは、例えば、工程Ａの専従者が工程Ａの終了を工程Ｂの専従者に通知し、このようにして、順次実行を担保する。
【０００３】
あるいは、工程Ａの場所から工程Ｂの場所へベルトコンベアを配置し、工程Ｂの場所から工程Ｃの場所へベルトコンベアを配置することで、順次実行を担保する。
【非特許文献１】RedTacton、［平成１７年１０月３日検索］、インターネット＜URL： http://www.redtacton.com/jp/info/index.html＞
【発明の開示】
【発明が解決しようとする課題】
【０００４】
しかしながら、一人の工程実行者が工程の実行順序を管理する場合、順序の思い違いなどにより、順次実行を担保できず、そのため、かかる問題の解決が望まれている。
【０００５】
本発明は、上記の課題に鑑みてなされたものであり、その目的とするところは、工程の順次実行の担保を図れる工程実行支援システムを提供することにある。
【課題を解決するための手段】
【０００６】
上記の課題を解決するために、本発明では、終了済である第１の工程の工程ＩＤを記憶する工程間利用のコンピュータに通信可能な工程間利用のトランシーバと、終了済みであるべき第１の工程の工程ＩＤを記憶する第２の工程のコンピュータに通信可能な第２の工程のトランシーバとが電極を有し、各電極が媒体に接触または近接している状態で、工程間利用のトランシーバは、工程間利用のコンピュータから送信される工程ＩＤに応じた波形の電圧を電極と媒体を介して第２の工程のトランシーバの電極に印加し、第２の工程のトランシーバは、電極に印加された電圧の波形を工程ＩＤとして検出し、この工程ＩＤを第２の工程のコンピュータに送信し、第２の工程のコンピュータは、記憶した第１の工程の工程ＩＤが送信された否かを判定する。
【０００７】
また、本発明では、終了済である第１の工程の工程ＩＤを記憶する工程間利用のコンピュータに通信可能な工程間利用のトランシーバと、終了済みであるべき第１の工程の工程ＩＤを記憶する第２の工程のコンピュータに通信可能な第２の工程のトランシーバと、終了済みであるべき第２の工程の工程ＩＤを記憶する第３の工程のコンピュータに通信可能な第３の工程のトランシーバとが電極を有し、工程間利用のトランシーバおよび第２の工程のトランシーバの各電極が媒体に接触または近接している状態で、工程間利用のトランシーバは、工程間利用のコンピュータから送信される第１の工程の工程ＩＤに応じた波形の電圧を電極と媒体を介して第２の工程のトランシーバの電極に印加し、第２の工程のトランシーバは、電極に印加された電圧の波形を第１の工程の工程ＩＤとして検出し、この第１の工程の工程ＩＤを第２の工程のコンピュータに送信し、第２の工程のコンピュータは、記憶した第１の工程の工程ＩＤが送信された場合に、第２の工程の工程ＩＤを第２の工程のトランシーバに送信し、第２の工程のトランシーバは、送信された第２の工程の工程ＩＤに応じた波形の電圧を電極と媒体を介して工程間利用のトランシーバの電極に印加し、工程間利用のトランシーバは、電極に印加された電圧の波形を第２の工程の工程ＩＤとして検出し、この第２の工程の工程ＩＤを工程間利用のコンピュータに送信し、工程間利用のトランシーバおよび第３の工程のトランシーバの各電極が媒体に接触または近接している状態で、工程間利用のコンピュータは、送信された第２の工程の工程ＩＤを工程間利用のトランシーバに送信し、工程間利用のトランシーバは、送信された第２の工程の工程ＩＤに応じた波形の電圧を電極と媒体を介して第３の工程のトランシーバの電極に印加し、第３の工程のトランシーバは、電極に印加された電圧の波形を第２の工程の工程ＩＤとして検出し、この第２の工程の工程ＩＤを第３の工程のコンピュータに送信し、第３の工程のコンピュータは、記憶した第２の工程の工程ＩＤが送信されたか否かを判定する。
【発明の効果】
【０００８】
本発明によれば、工程の順次実行の担保を図ることができる。
【発明を実施するための最良の形態】
【０００９】
以下、本発明に係る工程実行支援システムおよび方法の実施の形態を図面を参照して説明する。
【００１０】
図１は、本実施の形態に係る工程実行支援システムの構成図である。
【００１１】
このシステムでは、工程間で利用されるコンピュータ１とトランシーバ２が相互接続されて工程実行者Ｕに装備される。工程実行者Ｕは、施錠された薬品棚２０Ａを解錠し、その中の薬品２１Ａを容器３０に加える工程Ａ、施錠された薬品棚２０Ｂを解錠し、その中の薬品２１Ｂを容器３０に加える工程Ｂ、施錠された薬品棚２０Ｃを解錠し、その中の薬品２１Ｃを容器３０に加える工程Ｃを、工程Ａ、Ｂ、Ｃの順で行おうとしている。
【００１２】
このシステムでは、工程Ａを示す工程ＩＤ（Ａ）、工程Ｂを示す工程ＩＤ（Ｂ）、工程Ｃを示す工程ＩＤ（Ｃ）、いずれの工程も行われていないことを示す工程ＩＤ（０）が利用される。
【００１３】
コンピュータ３ａは、工程ＩＤ（０）を記憶した記憶部（以下、リストＬａ）を備え、このＩＤが送信された場合に薬品棚２０Ａを解錠し、工程Ａを示す工程ＩＤ（Ａ）を送信するようになっている。コンピュータ３ａに接続されたトランシーバ４ａが薬品棚２０Ａの近傍に設置されている。
【００１４】
コンピュータ３ｂは、工程ＩＤ（０）、工程ＩＤ（Ａ）を記憶した記憶部（以下、リストＬｂ）を備え、これらＩＤの全てが送信された場合に薬品棚２０Ｂを解錠し、工程Ｂを示す工程ＩＤ（Ｂ）を送信するようになっている。コンピュータ３ｂに接続されたトランシーバ４ｂが薬品棚２０Ｂの近傍に設置されている。
【００１５】
コンピュータ３ｃは、工程ＩＤ（０）、工程ＩＤ（Ａ）、工程ＩＤ（Ｂ）を記憶した記憶部（以下、リストＬｃ）を備え、これらＩＤの全てが送信された場合に薬品棚２０Ｃを解錠し、工程Ｃを示す工程ＩＤ（Ｃ）を送信するようになっている。コンピュータ３ｃに接続されたトランシーバ４ｃが薬品棚２０Ｃの近傍に設置されている。
【００１６】
コンピュータ１は、工程ＩＤ（０）を記憶した記憶部（以下、履歴リストＬ０）を備え、履歴送信要求に応じて、履歴リストＬ０の全ＩＤを送信するようになっている。また、コンピュータ１は、送信されたＩＤを履歴リストＬ０に記憶させるようになっている。
【００１７】
図２は、トランシーバ２、４ａ、４ｂ、４ｃの構成および利用形態を示す図である。
【００１８】
トランシーバ２、４ａ、４ｂ、４ｃは、同様な構成を有するので、これらを区別せず、トランシーバＴＲという。また、コンピュータ１、３ａ、３ｂ、３ｃをコンピュータＣＭＰという。
【００１９】
トランシーバＴＲは、電極ＴＲ１と、発振器ＴＲ２と電界検出部ＴＲ３と送受信回路ＴＲ４を備える。特に、トランシーバ４ａ、４ｂ、４ｃの電極ＴＲ１は、情報伝達の媒体である、工程実行者Ｕの人体が接触できるように工程実行者Ｕ側に露出している。一方、トランシーバ２の電極ＴＲ１は、工程実行者Ｕの人体に常に接触している状態にされる。なお、トランシーバＴＲ間では、工程実行者Ｕの人体と電極ＴＲ１とが近接していても通信可能なので、電極ＴＲ１の表面を絶縁体で覆ってもよい。例えば、トランシーバをカード型にし、それを服のポケットに入れた状態で通信できるようにしてもよい。
【００２０】
送受信回路ＴＲ４は、コンピュータＣＭＰから送信される情報に応じて発振器ＴＲ２を制御し、発振器ＴＲ２は、その情報に応じた電圧を電極ＴＲ１に印加するようになっている。また、送受信回路ＴＲ４は、電界検出部ＴＲ３で光電変換された電気信号を処理することで、コンピュータＣＭＰに送信すべき情報を検出し、これをコンピュータＣＭＰに送信するようになっている。
【００２１】
電界検出部ＴＲ３は、光源ＴＲ３１と、この光源ＴＲ３１からの光の偏光状態を変調する電気光学結晶ＴＲ３２と、この偏光変調光を強度変調光に変換する偏光板ＴＲ３３と、この強度変調光を電気信号に変換する光検出器ＴＲ３４とを備える。
【００２２】
（実施の形態の動作）
図３（ａ）は、工程Ａを行う際のシーケンス図である。
【００２３】
コンピュータ３ａは、履歴送信要求をトランシーバ４ａの送受信回路ＴＲ４に送信する。
【００２４】
送受信回路ＴＲ４は、その履歴送信要求に基づいてトランシーバ４ａの発振器ＴＲ２を発振させる。発振器ＴＲ２は、この履歴送信要求に応じた波形の電圧を、トランシーバ４ａの電極ＴＲ１に印加する。工程実行者Ｕの人体がトランシーバ４ａの電極ＴＲ１に接触あるいは近接していれば、この電圧が工程実行者Ｕの人体を介して、トランシーバ２の電極ＴＲ１に印加される。
【００２５】
トランシーバ２の電界検出部ＴＲ３では、当該電圧の波形に応じた電界を電気光学結晶ＴＲ３２に印加し、光源ＴＲ３１が光を電気光学結晶ＴＲ３２に入射し、偏光板ＴＲ３３が電気光学結晶ＴＲ３２からの偏光変調光を強度変調光に変換し、光検出器ＴＲ３４が強度変調光を電気信号に変換し、送受信回路ＴＲ４が電気信号の波形を履歴送信要求として検出する。そして、この履歴送信要求をコンピュータ１に送信する（Ｓ１）。
【００２６】
コンピュータ１は、履歴リストＬ０の工程ＩＤ（０）をトランシーバ２の送受信回路ＴＲ４に送信する。
【００２７】
トランシーバ２は、トランシーバ４ａが行った（Ｓ１）ときと同様に、工程ＩＤ（０）に応じた電圧をトランシーバ４ａの電極ＴＲ１に印加する。
【００２８】
トランシーバ４ａは、トランシーバ２が行った（Ｓ１）ときと同様に、工程ＩＤ（０）を検出し、コンピュータ３ａに送信する（Ｓ２）。
【００２９】
コンピュータ３ａは、工程ＩＤ（０）が送信されたので、薬品棚２０Ａを解錠し（Ｓ３）、工程実行者Ｕは、その中の薬品２１Ａを容器３０に加える工程Ａを行う（Ｓ４）。また、コンピュータ３ａは、ステップＳ１の時と同様に、工程ＩＤ（Ａ）をコンピュータ１に送信する（Ｓ５）。
【００３０】
コンピュータ１は、工程ＩＤ（Ａ）を履歴リストＬ０に記憶させる（Ｓ６）。
【００３１】
図３（ｂ）は、その後に工程Ｂを行う際のシーケンス図である。
【００３２】
コンピュータ３ｂは、ステップＳ１の時と同様に、履歴送信要求をコンピュータ１に送信する（Ｓ１１）。
【００３３】
コンピュータ１は、履歴リストＬ０の工程ＩＤ（０）、工程ＩＤ（Ａ）を、ステップＳ２の時と同様に、コンピュータ３ｂに送信する（Ｓ１２）。
【００３４】
コンピュータ３ｂは、工程ＩＤ（０）、工程ＩＤ（Ａ）が送信されたので、薬品棚２０Ｂを解錠し（Ｓ１３）、工程実行者Ｕは、その中の薬品２１Ｂを容器３０に加える工程Ｂを行う（Ｓ１４）。また、コンピュータ３ｂは、ステップＳ５の時と同様に、工程ＩＤ（Ｂ）をコンピュータ１に送信する（Ｓ１５）。
【００３５】
コンピュータ１は、工程ＩＤ（Ｂ）を履歴リストＬ０に記憶させる（Ｓ１６）。
【００３６】
図３（ｃ）は、その後に工程Ｃを行う際のシーケンス図である。
【００３７】
コンピュータ３ｃは、ステップＳ１、Ｓ１１の時と同様に、履歴送信要求をコンピュータ１に送信する（Ｓ２１）。
【００３８】
コンピュータ１は、履歴リストＬ０の工程ＩＤ（０）、工程ＩＤ（Ａ）、工程ＩＤ（Ｂ）を、ステップＳ２、Ｓ１２の時と同様に、コンピュータ３ｃに送信する（Ｓ２２）。
【００３９】
コンピュータ３ｃは、工程ＩＤ（０）、工程ＩＤ（Ａ）、工程ＩＤ（Ｂ）が送信されたので、薬品棚２０Ｃを解錠し（Ｓ２３）、工程実行者Ｕは、その中の薬品２１Ｃを容器３０に加える工程Ｃを行う（Ｓ２４）。また、コンピュータ３ｃは、ステップＳ５、Ｓ１５の時と同様に、工程ＩＤ（Ｃ）をコンピュータ１に送信する（Ｓ２５）。
【００４０】
コンピュータ１は、工程ＩＤ（Ｃ）を履歴リストＬ０に記憶させる（Ｓ２６）。
【００４１】
なお、コンピュータ１は、履歴リストＬ０内の工程ＩＤ（０）以外を履歴リストＬ０からを消去する。これにより、工程Ａ、Ｂ、Ｃを再びこの順で行うことができる。また、場合によっては、工程ＩＤ（０）以外を消去前に他のコンピュータに送信して記憶させる。、これにより、送信されたコンピュータに工程の履歴を保持できる。
【００４２】
図４は、工程Ａの後に工程Ｃを行おうとした際のシーケンス図である。
【００４３】
コンピュータ３ｃは、ステップＳ１の時と同様に、履歴送信要求をコンピュータ１に送信する（Ｓ２１）。
【００４４】
コンピュータ１は、履歴リストＬ０の工程ＩＤ（０）、工程ＩＤ（Ａ）を、ステップＳ２の時と同様に、コンピュータ３ｃに送信する（Ｓ２２）。
【００４５】
コンピュータ３ｃは、工程ＩＤ（０）、工程ＩＤ（Ａ）、工程ＩＤ（Ｂ）の全てが送信されなかったので、薬品棚２０Ｃの施錠を維持（Ｓ２３’）、よって、工程実行者Ｕは、その中の薬品２１Ｃを容器３０に加える工程Ｃ（Ｓ２４）を行えない。このときは、コンピュータ３ｃは、例えば、警告を発する。
【００４６】
したがって、本システムによれば、工程Ａ、Ｂ、Ｃがこの順で行われることを担保することができる。
【００４７】
なお、工程ＩＤ（０）によらないでは工程ＩＤ（Ａ）が得られず、工程ＩＤ（Ａ）によらないでは工程ＩＤ（Ｂ）が得られず、工程ＩＤ（Ｂ）によらないでは工程ＩＤ（Ｃ）が得られないので、コンピュータ１は、コンピュータ３ａには予め記憶した工程ＩＤ（０）だけを送信し、コンピュータ３ｂには直前に送信された工程ＩＤ（Ａ）だけを送信し、コンピュータ３ｃには直前に送信された工程ＩＤ（Ｂ）だけ送信し、コンピュータ３ａは、工程ＩＤ（０）だけを記憶し、そのＩＤが送信されるこにより工程ＩＤ（Ａ）を送信し、コンピュータ３ｂは、工程ＩＤ（Ａ）だけを記憶し、そのＩＤが送信されることにより工程ＩＤ（Ｂ）を送信し、コンピュータ３ｃは、工程ＩＤ（Ｂ）だけを記憶し、そのＩＤが送信されることにより工程ＩＤ（Ｃ）を送信するようにしてもよい。
【００４８】
なお、コンピュータ１は、履歴送信要求によらないでＩＤを送信してもよい。その際は、使用されない発振器ＴＲ２や電界検出部ＴＲ３を除いた構成としてもよい。
【００４９】
また、コンピュータ３ａ、３ｂ、３ｃが行う動作を工程Ａ、Ｂ、Ｃと考えてもよい。
【００５０】
また、工程の内容や工程数を変えて実施をしてもよい。
【００５１】
また、情報伝達の媒体として人体を用いる代わりに、他の生物（動物など）や絶縁体を媒体としてもよい。
【００５２】
また、実施の形態では、トランシーバでのＩＤなどの検出に光源、電気光学結晶、偏光板および光検出器という光学部品を用いたが、これらを用いずに、つまり電気的に検出を行ってもよい。
【００５３】
また、実施の形態では、ＩＤ送受を電圧信号で行ったが、電流信号で行ってもよい。
【００５４】
また、実施の形態では、工程実行者Ｕにコンピュータ１とトランシーバ２を装備したが、これらを容器３０に装備し、この容器３０をもった工程実行者Ｕがトランシーバ４ａや４ｂや４ｃの電極ＴＲ１に接触または近接した状態で、コンピュータ１とコンピュータ３ａや３ｂや３ｃが工程ＩＤなどを送受信することとしてもよい。
【図面の簡単な説明】
【００５５】
【図１】本実施の形態に係る工程実行支援システムの構成図である。
【図２】トランシーバの構成および利用形態を示す図である。
【図３】各工程を行う際のシーケンス図である。
【図４】工程Ａの後に工程Ｃを行おうとした際のシーケンス図である。
【符号の説明】
【００５６】
１、３ａ、３ｂ、３ｃ…コンピュータ
２、４ａ、４ｂ、４ｃ…トランシーバ
Ｕ…工程実行者
ＴＲ１…電極
ＴＲ２…発振器
ＴＲ３…電界検出部
ＴＲ４…送受信回路
ＴＲ３１…光源
ＴＲ３２…電気光学結晶
ＴＲ３３…偏光板
ＴＲ３４…光検出器
【図１】
2008090406.tif 000003
【図２】
2008090406.tif 000004
【図３】
2008090406.tif 000005
【図４】
2008090406.tif 000006